(57)【要約】  ソーシャル表現メッセージを掲示者が用意し、カスタマイズし、掲示者がそのようなメッセージを残したいと実質的にどんな形のオブジェクトにも残すことを可能にする、ソーシャルメディアデバイスと、ソーシャル表現メッセージをオブジェクトに貼りつける方法とが提供される。本発明により、掲示者が、メッセージの受け手またはそれの上の掲示者のメッセージを有するオブジェクトを見ることができる者に向けてメッセージを個人的なものにするやり方でメッセージをカスタマイズすることが可能になる。
2016529137.tif 000002
【特許請求の範囲】
【請求項１】
複数のメモを有するメモパッドを備えるソーシャルメディアデバイスであって、
前記メモの各々は、前記メモパッドから剥がし、前記メモの裏面上の接着剤を用いてオブジェクトに接着することができ、各メモが任意の所望の掲示者の画像と、それの上に前記掲示者のソーシャル表現メッセージとを有する表面を有し、その結果、前記掲示者が前記メモパッドからメモを剥ぎとり、上に前記掲示者が前記ソーシャル表現メッセージを残したいオブジェクトに前記メモを接着することができる、ソーシャルメディアデバイス。
【請求項２】
各メモの前記表面が、前記掲示者が前記メモの向きを前記掲示者によって選択された前記オブジェクトの一部分をポインタが指し示す位置にすることが可能になる前記ポインタの画像を有する、請求項1に記載のソーシャルメディアデバイス。
【請求項３】
各メモの前記表面が、前記掲示者が前記ソーシャル表現メッセージの一部を書くことができる記入欄を有する、請求項2に記載のソーシャルメディアデバイス。
【請求項４】
オブジェクトへソーシャル表現メッセージを提供する方法であって、
a. メモパッドに複数のメモを提供するステップであって、前記メモの各々は、前記メモパッドから剥がし、前記メモの裏面上の接着剤を用いてオブジェクトに接着することができ、各メモが所望の掲示者の画像とそれの上に前記掲示者からのソーシャル表現メッセージとを有する表面を有する、ステップと、
b.メモを前記メモパッドから剥がし、前記メモをオブジェクトに貼りつけて、前記掲示者からの前記ソーシャル表現メッセージを前記オブジェクト上に残すステップと
を含む、方法。
【請求項５】
各メモの前記表面が、ポインタの画像を有し、前記メモを前記オブジェクトに貼りつける前記ステップが、前記メモの向きを前記掲示者によって選択された前記オブジェクトの一部分を前記ポインタが指し示す位置にするステップを含む、請求項4に記載の方法。
【請求項６】
各メモの前記表面が、前記掲示者が前記ソーシャル表現メッセージの一部を書くことができる記入欄を有する、請求項5に記載の方法。
【請求項７】
オブジェクトへソーシャル表現メッセージを提供する方法であって、
a.メモの裏面上の接着剤を用いてオブジェクトに接着されるように構成された前記メモを提供するステップであって、前記メモが、掲示者の画像とそれの上の前記掲示者からのソーシャル表現メッセージとを有する表面を有する、ステップと、
b.前記メモをオブジェクトに接着して、前記掲示者からのソーシャル表現メッセージを前記オブジェクト上に残すステップと
を含む、方法。
【請求項８】
前記メモの前記表面が、ポインタの画像を有し、前記メモを前記オブジェクトに貼りつける前記ステップが、前記メモの向きを前記掲示者によって選択された前記オブジェクトの一部分を前記ポインタが指し示す位置にするステップを含む、請求項7に記載の方法。
【請求項９】
各メモの前記表面が、前記掲示者が前記ソーシャル表現メッセージの一部を書くことができる記入欄を有する、請求項8に記載の方法。
【発明の詳細な説明】
【技術分野】
【０００１】
関連出願/優先権の主張
本出願は、参照により本明細書に組み込まれている、2013年8月6に出願した米国仮出願第61/862783号の優先権に関し優先権を主張するものである。
【背景技術】
【０００２】
人が、写真、絵画、彫刻、自動車、コーヒーマグ、文書、または人の注目を引くことがある任意の他のオブジェクトなどのオブジェクトを見ているときがあり、その場合、人は、コメントをし、自分のそのオブジェクトの好みを表現したいと所望する。人はオブジェクトの所有者に話しかけたいと思うだけでなく、自分たちのオブジェクトの好みを書面または他のソーシャル表現メディアの形で表現することを好むことがある。
【発明の概要】
【課題を解決するための手段】
【０００３】
本発明は、新たなおよび有用なソーシャルメディアデバイスと、オブジェクトへ個人的なソーシャル表現メッセージを提供する方法とを提供する。
【０００４】
本発明により、掲示者(すなわち、ソーシャル表現メッセージを作成したいと思う人またはその人の代わりの者)は、本発明のデバイスおよび方法を使用して、オブジェクトに関する掲示者の好みまたは他の感情を表現することができる。
【０００５】
ソーシャルメディアデバイスは、新たなおよび有用なメモを備え、メモは複数のメモを有するメモパッドの一部であり得、メモの各々は、メモパッドから剥がし、オブジェクトに接着させることができる(例えば、メモの裏面上の接着剤を用いて)。各メモは、掲示者(すなわち、メモを掲示する人)の画像または掲示者が所望する任意の画像(乗用車、ペット、家族写真など)およびそれの上に掲示者のソーシャル表現メッセージ(事前に印刷する、またはカスタマイズする、または両方をすることができる)を有する表面を有し、その結果、掲示者は、メモパッドからメモを剥ぎとり、上に掲示者がソーシャル表現メッセージを残したい任意のオブジェクトにメモを接着させることができる。
【０００６】
デバイスの特に好ましいバージョンでは、各メモの表面は、ポインタの画像を有し、それにより掲示者はメモの向きを掲示者によって選択されたオブジェクトの一部分をポインタが指し示す位置にすることが可能になる。さらに、各メモの表面は、掲示者がソーシャル表現メッセージの一部を書くことができる記入欄を有することができる。
【０００７】
本発明の方法を実施する際に、掲示者(すなわち、メモを掲示する人、または掲示者の代わりにメモを掲示する者)は、個々のメモを取り(例えば、メモパッドからメモを剥がし)、そのメモをオブジェクトに貼って、掲示者からのソーシャル表現メッセージをオブジェクト上に残す。各メモの表面が掲示者の画像を有するので、メモを見る人は直ちに誰がそれを掲示したかが分かり、その場合、メモはポインタを有し、メモをオブジェクトに貼りつけるステップは、メモを見る人が、メモが言及しているのはオブジェクトのどの部分かが分かるように、メモの向きを掲示者によって選択されたオブジェクトの一部分をポインタが指し示す位置にするステップを含む。さらに、記入欄により、掲示者は、メモを見る人によって見ることができる個人的なコメントを加えることが可能になる。
【０００８】
さらに、本発明の特徴は、以下の詳細な説明および添付の図面から明らかであろう。
【図面の簡単な説明】
【０００９】
【図１】本発明による、ソーシャルメディアデバイスの例を示す図である。
【図２】本発明による、ソーシャルメディアデバイスの例を示す図である。
【図２Ａ】本発明による、1つのソーシャルメディアデバイスまたは複数のソーシャルメディアデバイス用のホルダーの例を示す図である。
【図２Ｂ】本発明による、1つのソーシャルメディアデバイスまたは複数のソーシャルメディアデバイス用のホルダーの例を示す図である。
【図２Ｃ】本発明による、1つのソーシャルメディアデバイスまたは複数のソーシャルメディアデバイス用のホルダーの例を示す図である。
【図３Ａ】本発明による、1つの形のソーシャルメディアデバイスの表面の例を示す図である。
【図３Ｂ】本発明による、1つの形のソーシャルメディアデバイスの裏面の例を示す図である。
【図３Ｃ】本発明による、1つの形のソーシャルメディアデバイスの後面の例を示す図である。
【図４】本発明を実施するための出願者の方法を概略的に例示する図である。
【図５】本発明による、オブジェクトに貼りつけたソーシャル表現デバイスを示す図である。
【図６Ａ】本発明による、ソーシャル表現メモをパッドとして形成することができるやり方を概略的に例示する図である。
【図６Ｂ】本発明による、ソーシャル表現メモをパッドとして形成することができるやり方を概略的に例示する図である。
【図７Ａ】本発明による、ソーシャル表現メモをパッドとして形成することができるやり方を概略的に例示する図である。
【図７Ｂ】本発明による、ソーシャル表現メモをパッドとして形成することができるやり方を概略的に例示する図である。
【発明を実施するための形態】
【００１０】
上記のように、本発明は、新たなおよび有用なソーシャルメディアデバイスと、オブジェクトへソーシャル表現メッセージを提供する方法とを提供する。本発明の原理を絵画、または写真などのオブジェクトに関連して本明細書に説明し示し、その説明から、本発明を掲示者がソーシャル表現メッセージを残したい実質的にどんなオブジェクトに対しても実施することができるやり方が、当業者には明らかであろう。
【００１１】
図1および図2、ならびに図3A〜図3Cは、本発明による、ソーシャルメディアデバイス100の例である。ソーシャルメディアデバイス100は、上に掲示者の画像が設けられた表面102を有するメモと、上に掲示者がソーシャル表現メッセージを残したいオブジェクトにメモを接着させるための接着剤を有する裏面104(図3B、図3C)とを備える。それらの図によって示すように、表面102上の画像は、掲示者が好む任意の形をとることができ、メモの表面102は、掲示者が強調させたいことがあるソーシャル表現メッセージ106が事前に印刷された、いくつかの形も有することができる(例えば、「好きだ」、「好む」、「愛する」など)。また、図1、図2および図3Aに示すように、表面102は、掲示者とそれら事前に印刷された形のソーシャル表現メッセージを視覚的に関連づける図または写真108を有することができ、したがって、掲示者がメッセージを話しているように見える。
【００１２】
また、図1、図2および図3Aに示すように、表面102は、ポインタ110の画像を有する(図1および図3Aでは、ポインタ110は上方を指し示し、図2では、ポインタ110はメモの上部右側を指し示す)。また、図1、図2および図3Aに示すように、メモの表面102は、記入欄112も含む。ポインタ110の画像は、印刷画像、ポインタのダイカットアウトラインまたは表面にポインタ110の視覚画像を与える任意の他の形の画像であり得る。記入欄112により、掲示者がメモのソーシャル表現メッセージをカスタマイズすることが可能になる(例えば、さらに以下に説明する図5を参照)。ポインタ110は、メモをオブジェクトに貼りつけるときに、掲示者が注意を向けさせたいオブジェクトの一部分にポインタが向けられるように設計される(例えば、さらに以下に説明する図5を参照)。
【００１３】
メモ100は、メモのパッドの形でまたはカスタマイズされたパッケージ(図2A、図2Bおよび図2Cの113に概略的に示す)で持ち歩くことができる。本出願では、単一のメモを取り外し、ソーシャル表現メッセージを物品に貼りつけるのに使用することができる「パッド」の一部として実現される複数のメモの概念は、様々な形をとることができる。例えば、「パッド」は、Post-it(登録商標)またはsticky note(商標)ブランドのメモのパッドと同様であり得、それらは裏面上に接着剤を有する単一のメモをそれらから便利に剥がし、次いでオブジェクトに接着して、ソーシャル表現メッセージを提供することができる接着剤付き用紙のメモのパッドである(この「パッド」のタイプは、図6Aおよび図6Bの114に概略的に示す)。「パッド」は、複数のステッカーを支持することができるタイプの支持体またはロールでもあり得、各「ステッカー」を支持体またはロールまたはシートから剥がし、オブジェクトにソーシャル表現メッセージを貼りつけるのに使用することができるソーシャル表現メモ100である(メモは、裏面上に接着剤を有し、それにより、メモは支持体またはロールに接着することが可能になる)それらにより、単一のメモは支持体から剥がすことが可能になり、剥がされたメモの裏面上の接着剤はオブジェクトにメモを接着するのに使用することが可能になる。これらのタイプのパッドは、図7A(メモ100を有するロール117を示す)および図7B(メモ100を有する支持体119を示す)に概略的に示す。「パッド」は、何らかのやり方で一緒に結合される(例えば、メモ内に形成された穴を貫通する締結具またはコードによって)メモの集合体でもあり得、個々のメモは、ソーシャル表現メッセージを物品に貼りつけるために集合体から取り外すことができる。その場合、各個々のメモは、その裏面に接着剤と、接着剤をあらわにし、メモがオブジェクトに接着することを可能にする剥ぎとり部材とを有する(図3A〜図3Cに関連して示し説明するように)。
【００１４】
さらに、メモ100の質感は、紙状であり得(Post-it(登録商標)またはsticky note(商標)ブランドのメモの質感と同様の)または剥ぎとり式ステッカーの質感と同様の質感を有し得る(例えば、光沢のある表面と、剥ぎとられてメモがオブジェクトに接着することを可能にする被覆を有する接着剤付き裏面とを有するプラスチック状材料)またはガラス、プラスチック、または他の材料などの表面に、それらの材料との相互作用により、接着することができるフィルム状材料であり得ることが当業者にはやはり明らかであろう。したがって、本出願では、「接着剤」をその裏面に有するメモへの言及は、メモの裏面が化学的接着剤を有し、またはその裏面がオブジェクトの材料と相互作用することができるフィルム状材料を有し、そのいずれかにより、メモがオブジェクトに接着することが可能になる(フィルム状材料は、ガラス、プラスチックまたはフィルム状材料と相互作用することがある他の材料以外の材料から形成されたオブジェクトに接着するその能力の点で制限され得るが)ことを意味する。
【００１５】
また、図2A〜図2Cに示すように、メモ100またはメモパッドは、カスタマイズされたパッケージ113に入れて持ち運ぶことができ、それにより、掲示者がメモまたはメモパッドを持ち歩き、メモを掲示者の判断でカスタマイズし、掲示するのが簡単で効率的になる。これらのカスタマイズされたパッケージは、ペン、鉛筆、または他の筆記デバイスを含むことができる。
【００１６】
したがって、メモがパッドの一部であることに加えて、メモ100は、個々のメモがデカールをメモの裏面から剥がすことによって接着剤を露出させ、次いでメモを対象のオブジェクトに接着させることが可能になる、剥がして貼りつけるデカール(ステッカースタイル)を有する個々のメモの形であり得ることも留意されたい。その概念を図3A〜3Cに示し、その場合、各メモ100は接着剤を有する裏面104と、接着剤の上面上に剥ぎとり式カバー120とを有する。カバー120は、メモの裏面104から剥がして、接着剤をあらわにし、メモ100を、掲示者がソーシャル表現メッセージを貼りつけたいオブジェクトに選択的に接着することを可能にする。
【００１７】
図5は、オブジェクト(例えば、絵画または写真122)の1つのタイプを例示し、メモ100を用意し、カスタマイズし、オブジェクトに貼りつけ、オブジェクトの専有者によって受け取り、見ることができる。図5は、メモ100がオブジェクト122に貼られる前に記入欄112にソーシャル表現メッセージを用いてカスタマイズされたメモ100を示す。図5は、どのように、カスタマイズされたメモを掲示者の判断でおよび掲示者によって選択された向きでオブジェクトに貼りつけることができるのかも示す。メモがオブジェクトに貼りつけられたら、メモはオブジェクトの専有者または他の者によって受け取り、見ることができる。
【００１８】
図4は、本発明を実施するための出願者の方法を概略的に例示する。図4に示すように、掲示者は掲示者が考えを書面で表したいオブジェクトを見ることがある(ステップ1)。掲示者は、自分がオブジェクト上に残したいパッド内の最上部のメモ上へのソーシャル表現メッセージの1つを選択するのか、カスタマイズされたメッセージを書くのかのいずれかを選択し(ステップ2)、または両方をメモに対して行う。掲示者は次いでメモ上の接着剤が完全に有効となるようにメモをパッドから剥がし(ステップ3)、またはメモの裏面上の任意の保護裏張りを取り外す。掲示者は、次いで、掲示者がコメントしたいオブジェクトの任意の部分を指し示すようにポインタを向けてメモをオブジェクトに貼りつける(ステップ4)。
【００１９】
前述の説明および添付の図から明らかなように、本発明により、掲示者は、ソーシャル表現メッセージを用意し、カスタマイズし、上に掲示者がそのようなメッセージを残したい実質的にどんな形のオブジェクト上にも残すことが可能になる。本発明により、掲示者がメッセージの受け手またはそれの上に掲示者のメッセージを有するオブジェクトを見ることができる者に向けてメッセージを個人的なものにするやり方でメッセージをカスタマイズすることが可能になる。
【００２０】
本発明の原理を考慮して、掲示者がソーシャル表現メッセージを作成し、カスタマイズし、実質的にどんなオブジェクトにも貼りつけることが可能になるようにそれらの原理を適用することができるやり方は、当業者には明らかであろう。
【符号の説明】
【００２１】
100  ソーシャルメディアデバイス
102  表面
104  裏面
106  ソーシャル表現メッセージ
108  図または写真
110  ポインタ
112  記入欄
113  カスタマイズされたパッケージ
114  接着剤付き用紙のメモのパッド
117  ロール
119  支持体
120  剥ぎとり式カバー
122  絵画または写真
【図１】
2016529137.tif 000003
【図２】
2016529137.tif 000004
【図２Ａ】
2016529137.tif 000005
【図２Ｂ】
2016529137.tif 000006
【図２Ｃ】
2016529137.tif 000007
【図３Ａ】
2016529137.tif 000008
【図３Ｂ】
2016529137.tif 000009
【図３Ｃ】
2016529137.tif 000010
【図４】
2016529137.tif 000011
【図５】
2016529137.tif 000012
【図６Ａ】
2016529137.tif 000013
【図６Ｂ】
2016529137.tif 000014
【図７Ａ】
2016529137.tif 000015
【図７Ｂ】
2016529137.tif 000016
【国際調査報告】
2016529137.tif 000017